(57)【要約】倒立顕微鏡（１）について開示する。倒立顕微鏡（１）はとりわけ、第一側面（３ａ）、第二側面（３ｂ）及び利用者に割り当てられる前面（３ｃ）を備える基礎スタンド（３）を有する。基礎スタンド（３）には、電動式の顕微鏡機能を操作する為の制御ボタン（１０）が備えられる。制御ボタン（１０）は、第一グループ（１０１）、第二グループ（１０２）、第三グループ（１０３）、第四グループ（１０４）、第五グループ（１０５）に組み分けられる。第二グループ（１０２）の制御ボタン及び第三グループ（１０３）の制御ボタンはそれぞれ、接触要素の周りに配置される
2008506997.tif 000002
【特許請求の範囲】
【請求項１】
対物レンズレボルバー（５）及び顕微鏡ステージを備えた基礎スタンドを有し、更に、基部（３）には照明スタンド（７）が配置され、その基礎スタンド（３）は第一側面（３ａ）、第二側面（３ｂ）及び利用者に割り当てられる前面（３ｃ）を有し、電動式の顕微鏡機能を操作する為の複数の制御ボタン（１０）が、第一側面及び第二側面（３ａ、３ｂ）そして前面（３ｃ）に配置され、その際、制御ボタン（１０）が、それぞれ複数の制御ボタンからなる複数のグループに組み分けられるような倒立顕微鏡（１）において、制御ボタン（１０）が、第一グループ（１０１）、第二グループ（１０２）、第三グループ（１０３）、第四グループ（１０４）、及び第五グループ（１０５）に組み分けられることと、第二グループ（１０２）の制御ボタンが、第一側面（３ａ）にて、オリエンテーション補助として利用者に利用される接触要素（４３）の周りに配置されることと、第三グループ（１０３）の制御ボタンが、前面（３ｃ）にても同じく、オリエンテーション補助として利用者に利用される接触要素（５５）の周りに配置されることを特徴とする倒立顕微鏡。
【請求項２】
請求項１に記載の倒立顕微鏡（１）において、第一グループ（１０１）が四つの制御ボタンを含むことと、軸（１１）上に位置するフォーカスドライブノブ（９）の後方で湾曲部に第一グループ（１０１）が配置されることと、第一側面（３ａ）に配置される四つの制御ボタンのうち二つが軸（１１）より上に、そして第一側面（３ａ）に配置される四つの制御ボタンのうち二つが軸（１１）より下に配置されることを特徴とした倒立顕微鏡。
【請求項３】
請求項１に記載の倒立顕微鏡において、第五グループ（１０５）が三つの制御ボタンを含むことと、軸（１１）上に位置するフォーカスドライブノブ（９）の後方で湾曲部に第五グループ（１０５）が配置されることと、第二側面に配置される三つの制御ボタンのうち二つが軸（１１）より上に、そして第二側面に配置される制御ボタンの一つが軸（１１）より下に配置されることを特徴とした倒立顕微鏡。
【請求項４】
請求項１に記載の倒立顕微鏡において、第四グループ（１０４）が三つの制御ボタンを含むことと、第四グループ（１０４）が軸（１１）上に位置するフォーカスドライブノブ（９）の前方で直線的そして垂直に配置されることと、第二側面に配置される三つの制御ボタンのうち二つが軸（１１）より下に配置されることを特徴とした倒立顕微鏡。
【請求項５】
請求項１に記載の倒立顕微鏡において、第二グループ（１０２）に付設された接触要素（４３）がくぼみとして形成されることを特徴とした倒立顕微鏡。
【請求項６】
請求項５に記載の倒立顕微鏡において、くぼみが球断面の形状を有することを特徴とした倒立顕微鏡。
【請求項７】
請求項５に記載の倒立顕微鏡において、少なくとも四つの制御ボタンが接触要素（４３）の周りで十字状に配置され、その際、少なくとも、二つの制御ボタンが十字の垂直線（４１）上に、そして、二つの制御ボタンが十字の水平線（４２）上に配置されることを特徴とした倒立顕微鏡。
【請求項８】
請求項７に記載の倒立顕微鏡において、十字の水平線（４２）上で、制御ボタンの第一ぺア（４４）が接触要素（４３）の左側に、そして、制御ボタンの第二ペア（４５）が接触要素（４３）の右側に、距離をとって配置されることを特徴とした倒立顕微鏡。
【請求項９】
請求項７に記載の倒立顕微鏡において、十字の垂直線（４１）上で、制御ボタンの第三ペア（４６）が接触要素（４３）より上に、そして、単独の制御ボタン（４７）が接触要素（４３）より下に、距離をとって配置されることを特徴とした倒立顕微鏡。
【請求項１０】
請求項７から９のいずれか一項に記載の倒立顕微鏡において、第一ペア（４４）、第二ペア（４５）又は、第三ペア（４６）のそれぞれの制御ボタンを操作することによって、セッティングポイントが上昇可能であり、そして、第一ペア、第二ペア又は、第三ペアのそれぞれ単独の制御ボタンを操作することによって、対応するセッティングポイントが下降可能であることを特徴とした倒立顕微鏡。
【請求項１１】
請求項１０に記載の倒立顕微鏡において、制御ボタンの第一ペア（４４）を用いて、口径絞りが拡大可能又は縮小可能であることを特徴とした倒立顕微鏡。
【請求項１２】
請求項１０に記載の倒立顕微鏡において、制御ボタンの第二ペア（４５）を用いて、視野絞りが拡大可能又は縮小可能であることを特徴とした倒立顕微鏡。
【請求項１３】
請求項１０に記載の倒立顕微鏡において、制御ボタンの第三ペア（４６）を用いて、光の強度が増加可能又は減少可能であることを特徴とした倒立顕微鏡。
【請求項１４】
請求項９に記載の倒立顕微鏡において、単独の制御ボタン（４７）が、顕微鏡の異なる照射方法間の切り替えをする、トグルスイッチであることを特徴とした倒立顕微鏡。
【請求項１５】
請求項１に記載の倒立顕微鏡において、顕微鏡の前面（３ｃ）に配置される第三グループ（１０３）の制御ボタンが、主として長方形のプレート（５２）に配置されることを特徴とした倒立顕微鏡。
【請求項１６】
請求項１に記載の倒立顕微鏡において、第三グループ（１０３）の接触要素（５５）が制御ボタンであり、それは主として長方形のプレート（５２）の対角線（５３、５４）の交点の領域に配置されることを特徴とした倒立顕微鏡。
【請求項１７】
請求項１６に記載の倒立顕微鏡において、制御ボタンの接触要素（５５）がシャッター用であることを特徴とした倒立顕微鏡。
【請求項１８】
請求項１６に記載の倒立顕微鏡において、接触要素（５５）の左斜め上に制御ボタンの第一ペア（５６）が配置されることを特徴とした倒立顕微鏡。
【請求項１９】
請求項１８に記載の倒立顕微鏡において、制御ボタンの第一ペア（５６）が、顕微鏡の複数のポート間での切り替えを可能にすることを特徴とした倒立顕微鏡。
【請求項２０】
請求項１６に記載の倒立顕微鏡において、接触要素（５５）の右斜め上に制御ボタンの第二ペア（５７）が配置されることを特徴とした倒立顕微鏡。
【請求項２１】
請求項２０に記載の倒立顕微鏡において、制御ボタンの第二ペア（５７）が拡大及び／又は縮小間の切り替えを可能とすることを特徴とした倒立顕微鏡。
【請求項２２】
請求項１６に記載の倒立顕微鏡において、接触要素（５５）の右斜め下に三つの制御ボタン（５９）が配置されることを特徴とした倒立顕微鏡。
【請求項２３】
請求項１６に記載の倒立顕微鏡において、接触要素（５５）の左斜め下に三つの制御ボタン（５８）が配置されることを特徴とした倒立顕微鏡。
【請求項２４】
請求項２２又は２３に記載の倒立顕微鏡において、制御ボタンのそれぞれが規定の位置にあるフィルターキューブの選択の為に利用されることを特徴とした倒立顕微鏡。
【請求項２５】
請求項２４に記載の倒立顕微鏡において、フィルターキューブがフィルターキューブ用の六つの位置を有した輪上にあることを特徴とした倒立顕微鏡。
【請求項２６】
請求項１から２５のいずれか一項に記載の倒立顕微鏡において、基礎スタンドは、前面（３ｃ）の制御ボタンの第三グループ（１０３）の下部に、楔型の延長部（１９）を形成することと、その楔形の延長部（１９）にディスプレー（２０）が組み込まれることを特徴とした倒立顕微鏡。
【請求項２７】
請求項２６に記載の倒立顕微鏡において、ディスプレー（２０）がしっかりと組み込まれ、顕微鏡の設置面（１２）に対して４５度よりも小さい角度で傾くことを特徴とした倒立顕微鏡。
【発明の詳細な説明】
【技術分野】
【０００１】
本発明は倒立顕微鏡に関している。本発明は特に、対物レンズレボルバー、及び顕微鏡ステージを備えた基部を有する倒立顕微鏡に関している。加えて、基礎スタンドには照射スタンドが備えられている。基礎スタンドは第一側面、第二側面、及び利用者に割り当てられる前面を有している。電動式の顕微鏡の機能を操作する為の複数の制御ボタンが、第一側面、第二側面及び前面に備えられる。その際、制御ボタンは、それぞれ複数の制御ボタンからなる複数のグループに、組み分けられる。
【背景技術】
【０００２】
特許文献１は正立顕微鏡における操作ボタンの配置について開示する。顕微鏡用のピントノブの後部には三つの制御ボタンが備えられる。利用者がピントノブを操作する時に、制御ボタンが利用者の手の操作範囲にあるように、それら制御ボタンは配置される。更に、利用者が制御ボタンに様々な機能を割り当てることが出来るキーボードが、顕微鏡に付設される。このキーボードは顕微鏡ステージの下にスライドさせることが出来る。
【０００３】
非特許文献１もまた同様に正立顕微鏡について記す。顕微鏡スタンドには、スタンドの安定性を向上させる為、ピントノブの後部に配置されるスタンド羽（Stativeflueglen）がそれぞれ装備される。スタンド羽の上、すなわち同じくピントノブの後部には、左右に複数の制御ボタンが備えられる。ステージの側面にも同様に、制御ボタンのグループが備えられる。それらの制御ボタンを用いて、利用者は光及び絞りの調節を実行することが出来る。しかしながら、この制御ボタンのグループには、利用者がアイコンタクト無しで制御ボタンを用いてグループ内でのオリエンテーリングを可能にする為の接触要素を欠いている。
【０００４】
特許文献２は倒立顕微鏡について開示する。倒立顕微鏡には、ステージの前面にディスプレーが取り付けられ、それは、よりよく観察する為、利用者によりその角度位置を若干ずらすことが可能である。ここで表される倒立顕微鏡が開示するディスプレーは、ステージの基部の延長部にはない、そして更に、ここで表される倒立顕微鏡は、倒立顕微鏡のステージの第一側面又は第二側面に配置される制御ボタンについても触れていない。
【０００５】
特許文献３はモジュラー顕微鏡系について開示する。ピントノブの下部には、フィルターモジュールが備えられ、それは顕微鏡の設置面に対して平行に、直線的な配置で、複数のスライド要素を備える。同様に、スタンド基部には、又はスタンドの足の最前部には、ディスプレーが備えられ、それによって利用者は顕微鏡の調整を読み取ることが出来る。スライダー（Schieber）の操作又は、顕微鏡のプレッシング要素（Druckelemente）を操作する為の接触的補助については、公開文献では触れられていない。
【０００６】
特許文献４は、顕微鏡機能の制御及び／又は表示の為の配置や方法について開示する。利用者の目の高さ、及びその付近にディスプレーが配置される配置の場合、倒立顕微鏡は特に重要である。そのディスプレーが取り外し可能であることは有利である。顕微鏡機能の調整及び保存はディスプレーを介して実行することが出来る。
【０００７】
特許文献５は、複数の多機能的制御要素を有した顕微鏡について開示する。多機能的制御要素を用いることで、顕微鏡の電気的に操作可能な複数の構成要素、例えば、対物レンズレボルバー、フィルターターレット、絞り、焦点、照射調整、及びその他、を操作することが出来る。制御ボタンによって操作可能な複数の顕微鏡機能は、大抵の場合、現存する制御ボタンの数及び顕微鏡に取り付けられた制御ボタンの数を上回る。それにより、それぞれの任意の顕微鏡機能を、それぞれ任意の制御ボタンにあてることが可能となる。特許文献に示される顕微鏡は、スタンド上に分配され、グループごとに配置される複数の制御ボタンを有する。そのようにして、例えば、ピントノブ後方のグループ、ピントノブ前方のその他二つのグループが配置される。更に、顕微鏡の前面上に単独のピントノブが備えられる。接触的補助を用いて、制御ボタンを確実に探し出すことについて、特許文献では何も述べられていない。
【０００８】
【特許文献１】ＵＳ特許５．０００．５５５
【非特許文献１】ライカＤＭ４０００Ｂ及びライカＤＭ５０００Ｂ用のパンフレット
【特許文献２】ＵＳ２００２／００４１４３８
【特許文献３】ＤＥ４２３１４７０Ａ１
【特許文献４】ＤＥ１０１０６２７５Ａ１
【特許文献５】ＵＳ２００３／００９０７８９Ａ１
【発明の開示】
【発明が解決しようとする課題】
【０００９】
革新的で人間工学的な制御構想を追求し、それにより、利用者はアイコンタクトなしに、スタンドに備わる複数の制御ボタンを用いて、電動の倒立顕微鏡の正しい操作を実行することが出来るような、倒立顕微鏡を達成するという課題に基づいて、本発明は行われる。
【課題を解決するための手段】
【００１０】
目的となる課題は、請求項１に記載の特徴を持つ倒立顕微鏡によって解決される。本発明は、倒立顕微鏡の基部が第一側面、第二側面、及び利用者に割り当てられる前面を有する点で有利である。電動の顕微鏡機能を実行する為の複数の制御ボタンが、第一側面、第二側面、及び前面に備えられる。制御ボタンは、第一グループ、第二グループ、第三グループ、第四グループ、及び第五グループに組み分けられる。第一側面に配置される第二グループの制御ボタンは接触要素の周りに配置される。同じく、前面に配置される第三グループの制御ボタンは接触要素の周りに配置される。
【００１１】
軸上に位置するフォーカスドライブノブの後方で、湾曲部に配置される制御ボタンを、制御ボタンの第一グループは含む。その際、第一側面にある四つの制御ボタンの内、二つは軸より上側に、そして、第一側面に配置される制御ボタンの二つは軸より下側に配置される。
【００１２】
第五グループの制御ボタンは、同様に、軸上に位置するフォーカスドライブノブの後方で、湾曲部に配置される。その際、第二側面にある三つの制御ボタンの内、二つは軸より上に、そして、第二側面に配置される制御ボタンの一つは軸より下に配置される。
【００１３】
第四グループは、軸上に位置するフォーカスドライブノブの前方で、直線的そして垂直に配置される三つの制御ボタンを含む。三つの制御ボタンの内、二つは第二側面にて、軸の下側に配置される。
【００１４】
第二グループに付設された接触要素は、くぼみとして形成される。その際、くぼみが球断面の形状を有する場合、特に有利である。制御ボタンの内、少なくとも四つは接触要素の周りで十字状に配置される場合、それは有利である。その場合、十字の垂直線上に二つの制御ボタンが配置され、また、十字の水平線上に二つの制御ボタンが配置される。
【００１５】
十字の水平線上で、制御ボタンの第一ペアが接触要素の左側に、そして、制御ボタンの第二ペアが接触要素の右側に、距離をとって配置される。十字の垂直線上で、制御ボタンの第三ペアが接触要素の上側に、そして、単独の制御ボタンが接触要素の下側に、距離をとって配置される。第一ペア、第二ペア又は第三ペアのそれぞれの制御ボタンを操作することによって、顕微鏡のセッティングポイントを上昇させることが出来る。第一ペア、第二ペア又は第三ペアの、その他のそれぞれの制御ボタンを操作することによって、対応するセッティングポイントを下降させることが出来る。制御ボタンの第一ペアを用いて、口径絞りの拡大又は縮小が可能である。制御ボタンの第二ペアを用いて、視野の拡大又は縮小が可能である。制御ボタンの第三ペアを用いて、光の強度の増加又は減少が可能である。単独の制御ボタンはトグルスイッチとして形成され、それは顕微鏡の様々な照射方法間の切り替えに利用される。
【００１６】
第三グループの制御ボタンは顕微鏡の前面にて、主として長方形のプレートに配置される。第三グループの接触要素は制御ボタンであり、それは、主として長方形のプレートで対角線が交わる領域に配置される。その接触要素はシャッターの為の制御ボタンである。接触要素の左斜め上には、制御ボタンのペアが配置される。制御ボタンの第一ペアは、顕微鏡の複数のポート間での切り替えに利用される。接触要素の右斜め上にも同様に、制御ボタンのペアが配置される。その制御ボタンのペアは拡大及び／又は縮小の切り替えに利用される。接触要素の右斜め下には三つの制御ボタンが配置され、そして、左斜め下にも同様に三つの制御ボタンが配置される。接触要素の左斜め下若しくは右斜め下に配置されるそれぞれの制御ボタンは、定められた位置上のフィルターキューブの選択に利用される。フィルターキューブは六つの位置を有する輪上に配置される。
【００１７】
倒立顕微鏡の基部は、制御ボタンの第三グループの下部にて、前面に楔型の延長部分を有する。楔型の延長部分にはディスプレーが取り付けられる。ディスプレーはしっかりと取り付けられ、倒立顕微鏡の設置面に対して、およそ４５度より小さい角度で傾けられる。
【００１８】
本発明の具体化のさらなる有利な点は、従属請求項及び以下の記述から得られる。図中には、本発明の対象が概略的に示され、以下の画面を参照にして記載する。
【発明を実施するための最良の形態】
【００１９】
図１には、倒立顕微鏡１の斜視図が示され、本発明の様態が実体化される。倒立顕微鏡１は、対物レンズレボルバー５及び顕微鏡ステージ（図示されてはいない）を備えた基部３を有する。基部３は第一側面３ａ及び第二側面３ｂを有する。更に、利用者（図示されてはいない）に割り当てられる前面（Stirnflaeche）３ｃが形成される。基部３には照射ステージ７が取り付けられ、それは顕微鏡ステージに置かれたサンプルまたはサンプル容器の検査に必要な強度を持った光を与える。電動式の顕微鏡機能を操作する為の複数の制御ボタンが、第一側面３ａ及び第二側面３ｂ、そして前面３ｃに備えられる。制御ボタン１０は、それぞれ複数の制御ボタンからなる、複数のグループに組み分けられる。本発明によって、第一グループ１０１、第二グループ１０２、第三グループ１０３、第四グループ１０４及び第五グループ１０５が、倒立顕微鏡１の基部３ａに備えられる。第一グループ１０１及び第二グループ１０２の正確な配置図は、図３の側面図により認識できる。そして、第四グループ１０４及び第五グループ１０５の正確な配置図は図４の側面図により認識できる。倒立顕微鏡１の基部３には、その第一側面３ａ及び第二側面３ｂの両面に、それぞれフォーカスドライブノブ（Fokustrienknoepfe）９が配置される。フォーカスドライブノブ９は軸１１の周りで回転可能なように配置される。その際、顕微鏡の設置面（Aufstellflaeche）１２によって、倒立顕微鏡１を用いて緩和的な作業が可能であるように、フォーカスドライブノブ又はフォーカスドライブノブ９の軸１１が配置される。更に、フォーカスドライブノブ９は、快適に作業を行うことが可能であるように、人間工学的に形成される。その際、フォーカスドライブノブ９の直径及び形状は、利用者の平均的な手の大きさに合う。倒立顕微鏡１の基部３は前面３ｃに接眼レンズ１４を備える。更に、倒立顕微鏡１の基部３は複数のポート（Port）１５，１６，１７を備える。基部３には同様に、照射装置１８があり、それを用いて、サンプル（図示されていない）などの照射の為に倒立顕微鏡１へ、光を供給することが可能となる。基部３は第三グループ１０３の範囲に楔形の延長部分１９を有する。楔型の延長部分１９には、解像度の大きいディスプレー２０が取り付けられる。その上で、利用者は倒立顕微鏡１の調節に関しての、全ての情報を一目で得る。
【００２０】
図２には本発明の倒立顕微鏡の前面図が示される。既に図１についての記述で述べたように、基礎スタンド３上には照射ステージ７が取り付けられる。基礎スタンド３の前面３ｃには接眼レンズ１４及び制御ボタン１０の第三グループ１０３が備えられる。フォーカスノブ９は、基礎スタンド３の第一側面３ａ及び第二側面３ｂに配置される。既に述べたように、平均的な大きさの手を持つ利用者がフォーカスノブ９を快適に操作することが出来るように、倒立顕微鏡の設置面１２からフォーカスドライブノブの軸１１への距離は定められる。その際、制御ボタン１０の第三グループ１０３の配置は、第一側面３ａ又は第二側面３ｂにあるフォーカスノブ９の配置に対して、フォーカスノブ９の軸１１が直角のプレート２６のほぼ中心を通るように、調整される。直角のプレート２６の上には制御ボタン１０の第三グループ１０３が配置される。更に、基礎スタンド３の第一側面３ａにはチューブアウトレット（Tubusabgang）１６が取り付けられる。チューブアウトレット１６には、押引棒（Schub−／Zugstange）１６ａが備えられ、それを用いて、複数の光学要素を倒立顕微鏡１の照射光線経路へ運ぶことが出来る。基部３の第二側面３ｂには、照射調整装置１８が取り付けられる。照射調整装置１８を介して、異なる波長の及び／又は異なる構成の光を、倒立顕微鏡１の照射光線経路へ供給することが出来る。既に述べたように、基礎スタンド３の楔型の延長部分１９にはディスプレー２０が備え付けられる。その際、ディスプレー２０の傾きは、倒立顕微鏡１の設置面１２に対して、４５度よりも大きくはない。
【００２１】
図３は倒立顕微鏡１の第一側面３ａの側面図を示す。第一側面３ａには、軸１１の周りで回転可能なフォーカスノブ９が配置される。フォーカスノブの左側には制御ボタン１０の第一グループ１０１が備えられる。フォーカスノブ９の右側には制御ボタン１０の第二グループ１０２が配置される。利用者は、様々な電動式の顕微鏡の機能を、第一グループ１０１の制御ボタン１０に割り当てることが出来る。基礎ステージ３の前面３ｃは、基部３の楔型の延長部分１９と接眼レンズ１４の間で、主として直角方向に走る。制御ボタンの第三グループ１０３と接眼レンズ１４の間の範囲、及び第一側面３ａの部分と第二側面３ｂの部分を、カバー２８が覆う。その際、カバー２８はチューブアウトレット１６の為のカットアウト（Aussparung）を有する。ポート１５は、制御ボタン１０の第一グループ１０１の後部に配置される。そのポート１５の上方にレボルバー５が取り付けられる。
【００２２】
図４には、基礎ステージ３の第二側面３ｂの側面図が示される。フォーカスノブ９の左側には、制御ボタン１０の第四グループ１０４が配置される。制御ボタン１０の第四グループ１０４の配置は、基礎スタンド３の第二側面３ｂで垂直及び直線的である。第四グループ１０４の制御ボタン１０は、焦点位置の調節のために利用される。第四グループ１０４の制御ボタンの配置は、それらの機能性について指し示す。上の制御ボタンはレボルバー５をＺ方向上方へ移動させる。下の制御ボタンはレボルバー５をＺ方向下方へ移動させる。第四グループ１０４の真ん中の制御ボタンは、レボルバー５を再度Ｚ方向の初期位置へ移動させることに用いられる。フォーカスドライブノブ９の右側には制御ボタン１０の第五グループ１０５が備えられる。利用者は、様々な電動式の顕微鏡の機能を、同じく第五グループ１０５の制御ボタン１０にも割り当てることが出来る。制御ボタンの第五グループ１０５の右側にも同様に、別のポート２９が基礎ステージの第二側面３ｂに組み込まれる。既に幾度か述べたように、基礎ステージ３には対物レンズレボルバー５が備えられる。基礎ステージ３の第二側面３ｂでは、ポート２９と対物レンズレボルバー５の間に、フラップ（Klappe）３０が備えられ、そこを通ってフィルターウィール（Filterrad）（図示されてはいない）への接近が可能となる。倒立顕微鏡１に備えられたチューブ１４はエルゴチューブ（Ergotubus）として形成される。エルゴチューブを用いて、利用者の観察位置の高さ（Einblichhoehe）が調節できる。接眼レンズ３５の観察点(Einblickpunkt)は、接眼レンズ３５の光軸３６によって、定義される。そのため、チューブ１４の調整は、観察位置の高さ３２の４０９ｍｍから観察位置の高さ３１の５０２ｍｍまでの変化を許容する。観察位置の高さとは、接眼レンズの光軸３６から倒立顕微鏡１の設置面１２までの距離である。調節されたチューブ１４の位置（観察位置の高さ５０５ｍｍ）は、図４にて破線で表される。
【００２３】
図５には、制御ボタン１０の第二グループ１０２の詳細図が示される。第二グループ１０２の制御ボタン１０は十字（Kreuz）の垂直線４１上及び水平線４２上に配置される。垂直線４１と水平線４２の交点（Schnittpunkt）には、基部３の第一側面３ａにおいて、接触要素（taktilen Element）４３が形成される。接触要素４３の左側では、水平線４２上に制御ボタンの第一ペア４４が配置されており、また、接触要素４３の右側では、制御ボタン１０の第二ペア４５が配置される。十字の垂直線４１上において、接触要素４３の上側には制御ボタン１０の第三ペア４６が、また、接触要素の下側には単独の制御ボタン４７が、配置される。接触要素４３は利用者によって、オリエンテーション補助として利用される。その際、ペア毎に配置された制御ボタンの一つを操作することによって、倒立顕微鏡１のセッティングポイント（Einstellgroesse）が上昇可能であるように、そして、ペア毎に配置された制御ボタンのもう一方を操作することによって、対応する倒立顕微鏡のセッティングポイントが下降可能であるように、ペア毎に配置される制御ボタン１０は接続される。制御ボタンの第二グループ１０２の単独の制御ボタン４７は、いわゆるトグルスイッチとして形成される。制御ボタンの第一ペア４４を用いることで倒立顕微鏡１の口径絞り（Apertur-Blende）を拡大または縮小させることが出来る。制御ボタンの第二ペア４５を用いることで倒立顕微鏡の視野絞りを拡大または縮小させることが出来る。制御ボタンの第三ペア４６を用いることで光の強度を増加または減少させることが出来る。制御ボタンの第二グループ１０２の単独の制御ボタン４７は、顕微鏡の様々な照射方法の間での、トグル操作に利用される。第一ペア４４、第二ペア４５、及び第三ペア４６の機能を明確にする為に、それぞれのペアにウェッジ（Keil）５０が付設される。その際、前記ウェッジ５０は、倒立顕微鏡の第一側面３ａ上にある制御ボタンの第一ペア４４、第二ペア４５、そして第三ペア４６に対して、それらの近傍に取り付けられる。ウェッジの先端はセッティングポイントの下降を示し、その一方、ウェッジの太い方の端はセッティングポイントの上昇を示す。
【００２４】
図６に示される図は、倒立顕微鏡の基部３の前面３ｃにある長方形のプレート５２上に取り付けられる、制御ボタンの第三グループ１０３の詳細図である。長方形のプレート５４は、第一対角線５３及び第二対角線５４を規定する。第一対角線５３と第二対角線５４の交点には、制御ボタンの第三グループ１０３の接触要素５５が配置される。この接触要素５５は制御ボタンとして形成され、倒立顕微鏡１のシャッター操作に利用される。接触要素５５の左斜め上には、制御ボタンの第一ペア５６が配置される。制御ボタンの第一ペア５６は、倒立顕微鏡の複数のポート間での切り替えに利用される。接触要素５５の右斜め上には、制御ボタンの第二ペア５７が配置される。制御ボタンの第二ペア５７は、拡大及び／又は縮小の間の切り替えに利用される。接触要素５５の右斜め下には、三つの制御ボタン５９が配置される。同じく接触要素の左斜め下には、三つの制御ボタン５８が配置される。制御ボタン５８又は５９の各々は、フィルターキューブ（Filterwuerfel）の定められた位置を選択するために用いられる。既に図４の記述において述べたように、倒立顕微鏡の第二側面にあるフラップ３０の後ろには、対応するフィルターウィール（図示されてはいない）が配置される。
【００２５】
図７に示される図は、倒立顕微鏡１の基部３の第一側面３ａに形成される、接触要素４３の断面図である。接触要素４３は球断面の形状を有し、そして、倒立顕微鏡１の側面３ａにくぼみとして形成される。利用者は接触要素４３を一本の手の指で満たすことが出来、そしてそれにより、制御ボタンの第二グループ１０２内でのオリエンテーションを、アイコンタクト（Blickkontakt）無しで達成することが出来る。
【００２６】
本発明は特定の具体的形状について記述されている。しかし、本発明の請求項の保護範囲を超えないで、変形及び改良を施すことが可能であることは、自明である。
【図面の簡単な説明】
【００２７】
【図１】倒立顕微鏡の具体的形状の斜視図的詳細図であり、その場合、本発明の対象物が現実化している。
【図２】倒立顕微鏡の前面図である。
【図３】倒立顕微鏡の第一側面の側面図である。
【図４】倒立顕微鏡の第二側面の側面図である。
【図５】倒立顕微鏡の第一側面上にある制御ボタンの第二グループの詳細図である。
【図６】倒立顕微鏡の前面上にある制御ボタンの第三グループの詳細図である。
【図７】倒立顕微鏡の基部の第一側面に形成された接触要素を通った切断面である。
【符号の説明】
【００２８】
１  倒立顕微鏡
３  基部
３ａ  第一側面
３ｂ  第二側面
３ｃ  前面
５  対物レンズレボルバー
７  照射ステージ
９  フォーカスドライブノブ
１０  複数の制御ボタン
１０１  第一グループ
１０２  第二グループ
１０３  第三グループ
１０４  第四グループ
１０５  第五グループ
１１  軸
１２  設置面
１９  くさび型の延長部分
２０  ディスプレー
４１  垂直線
４２  水平線
４３  接触要素
４４  制御ボタンの第一ペア
４５  制御ボタンの第二ペア
４６  制御ボタンの第三ペア
４７  単独の制御ボタン
５２  長方形のプレート
５３  長方形のプレートの対角線
５４  長方形のプレートの対角線
５５  接触要素
５６  制御ボタンの第一ペア
５７  制御ボタンの第二ペア
５８  三つの制御ボタン
５９  三つの制御ボタン
【図１】
2008506997.tif 000003
【図２】
2008506997.tif 000004
【図３】
2008506997.tif 000005
【図４】
2008506997.tif 000006
【図５】
2008506997.tif 000007
【図６】
2008506997.tif 000008
【図７】
2008506997.tif 000009
【国際調査報告】
2008506997.tif 000010
2008506997.tif 000011
2008506997.tif 000012
2008506997.tif 000013
2008506997.tif 000014
2008506997.tif 000015